Podtech/llm-jp-corpus-v4-ja_patent huggingface dataset:
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
第１操作が可能な第１操作手段と、
第２操作が可能な第２操作手段と、
制御を行う制御手段と、を備え、
前記制御手段は、
前記第１操作がされたことを判定可能であるとともに、前記第２操作がされたことを判定可能である操作判定手段と、
前記第１操作がされたことが判定されたときに第１制御を行う第１制御手段と、
前記第２操作がされたことが判定されたときに第２制御を行う第２制御手段と、を含み、
前記操作判定手段は、
前記第１操作がされたときに内容が変化するとともに前記第２操作がされたときにも内容が変化する入力データと、前記第１操作がされても無効とする第１条件の成立状況および前記第２操作がされても無効とする第２条件の成立状況とに基づいて、前記第１操作と前記第２操作とのうち少なくも一方の操作がされていることを判定する第１判定手段と、
前記第１判定手段により前記第１操作と前記第２操作とのうち少なくも一方の操作がされていることが判定されたときに、前記第１操作と前記第２操作のいずれの操作がされているかを判定する第２判定手段と、を含み、
前記制御手段は、
メイン処理と、該メイン処理に所定時間毎に割り込んで実行されるタイマ割込み処理と、を実行可能であり、
前記タイマ割込み処理において、前記入力データを更新し、
前記メイン処理において、前記タイマ割込み処理が実行された否かを判定する割込み待ち処理を実行し、
前記操作判定手段は、前記割込み待ち処理において前記タイマ割込み処理が実行されたと判定されたときに、前記入力データにもとづく判定を行う、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
第１操作が可能な第１操作手段と、
第２操作が可能な第２操作手段と、
制御を行う制御手段と、を備え、
前記制御手段は、
前記第１操作がされたことを判定可能であるとともに、前記第２操作がされたことを判定可能である操作判定手段と、
前記第１操作がされたことが判定されたときに第１制御を行う第１制御手段と、
前記第２操作がされたことが判定されたときに第２制御を行う第２制御手段と、を含み、
前記操作判定手段は、
前記第１操作がされたときに内容が変化するとともに前記第２操作がされたときにも内容が変化する入力データと、前記第１操作がされても無効とする第１条件の成立状況および前記第２操作がされても無効とする第２条件の成立状況とに基づいて、前記第１操作と前記第２操作とのうち少なくも一方の操作がされていることを判定する第１判定手段と、
前記第１判定手段により前記第１操作と前記第２操作とのうち少なくも一方の操作がされていることが判定されたときに、前記第１操作と前記第２操作のいずれの操作がされているかを判定する第２判定手段と、を含み、
前記制御手段は、
メイン処理と、該メイン処理に所定時間毎に割り込んで実行されるタイマ割込み処理と、を実行可能であり、
前記タイマ割込み処理において、前記入力データを更新し、
前記メイン処理において、前記タイマ割込み処理が実行された否かを判定する割込み待ち処理を実行し、
前記操作判定手段は、前記割込み待ち処理において前記タイマ割込み処理が実行されたと判定されたときに、前記入力データにもとづく判定を行う。
（１）  遊技を行うことが可能な遊技機（たとえば、スロットマシン１）であって、
第１操作（たとえば、スタートスイッチ７への操作）がされたことを判定可能であるとともに、第２操作（たとえば、ベットスイッチ６への操作）がされたことを判定可能である操作判定手段と、
前記第１操作がされたことが判定されたときに第１制御（たとえば、図３および図４のＳｄ２の内部抽選処理）を行う第１制御手段と、
前記第２操作がされたことが判定されたときに第２制御（たとえば、図４のＳ３６のベット処理）を行う第２制御手段とを備え、
前記操作判定手段は、
前記第１操作がされたときに内容が変化するとともに前記第２操作がされたときにも内容が変化する入力データ（たとえば、図５の入力バッファデータ）と、前記第１操作がされても無効とする第１条件の成立状況および前記第２操作がされても無効とする第２条件の成立状況（たとえば、図５の判定データ）とに基づいて、前記第１操作と前記第２操作とのうち少なくも一方の操作がされていることを判定する第１判定手段と、
前記第１判定手段により前記第１操作と前記第２操作とのうち少なくも一方の操作がされていることが判定されたときに、前記第１操作と前記第２操作のいずれの操作がされているかを判定する（たとえば、Ｓ１０２に示すように、ベットスイッチ６の操作およびスタートスイッチ７の操作のうちいずれの操作であるのかを判定する）第２判定手段とを含む。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
遊技を行う遊技機であって、
複数種類の電子部品が搭載された基板を備え、
前記複数種類の電子部品は、
文字情報が記された複数の特定電子部品と、
基板外部からの信号の入力に用いられ、文字情報が記された信号入力用の電子部品と、
基板外部への信号の出力に用いられ、文字情報が記された信号出力用の電子部品と、を含んでおり、
前記信号入力用の電子部品と前記信号出力用の電子部品とは、文字情報の向きが異なるように、前記基板に搭載されており、
前記複数の特定電子部品は、それぞれに記された文字情報の向きが共通するように前記基板に搭載されており、
前記基板上における前記特定電子部品の実装位置の近傍には、前記実装位置に実装される前記特定電子部品と対応した文字情報が記されており、
前記基板上に記された文字情報と、前記実装位置に実装された前記特定電子部品に記された文字情報の向きが共通するように、前記実装位置に実装された前記特定電子部品が前記基板に搭載されている、遊技機。
【手続補正２】
【補正対象書類名】明細書
【補正対象項目名】０００６
【補正方法】変更
【補正の内容】
【０００６】
（Ａ）遊技を行う遊技機であって、
複数種類の電子部品が搭載された基板を備え、
前記複数種類の電子部品は、
文字情報が記された複数の特定電子部品と、
基板外部からの信号の入力に用いられ、文字情報が記された信号入力用の電子部品と、
基板外部への信号の出力に用いられ、文字情報が記された信号出力用の電子部品と、を含んでおり、
前記信号入力用の電子部品と前記信号出力用の電子部品とは、文字情報の向きが異なるように、前記基板に搭載されており、
前記複数の特定電子部品は、それぞれに記された文字情報の向きが共通するように前記基板に搭載されており、
前記基板上における前記特定電子部品の実装位置の近傍には、前記実装位置に実装される前記特定電子部品と対応した文字情報が記されており、
前記基板上に記された文字情報と、前記実装位置に実装された前記特定電子部品に記された文字情報の向きが共通するように、前記実装位置に実装された前記特定電子部品が前記基板に搭載されている。
（１）遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板（例えば、基板１等）を備え、前記複数種類の電子部品は、文字情報（例えば、上第１出力回路１１Ａ、中第１出力回路１１Ｂ、下第１出力回路１１Ｃに記載された「型番１」の文字等）が記された複数の特定電子部品（例えば、上第１出力回路１１Ａ、中第１出力回路１１Ｂ、下第１出力回路１１Ｃ等）を含んでおり、前記複数の特定電子部品は、それぞれに記された前記文字情報の向きが共通する（例えば、上第１出力回路１１Ａ、中第１出力回路１１Ｂ、下第１出力回路１１Ｃに表示された「型番１」の文字は、いずれもその文字を見る者が読みやすい向きを向いている等）ように前記基板に搭載されていることを特徴とする。
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を決定する事前決定手段と、
第１領域および第２領域のそれぞれにおいて前記事前決定手段が決定可能な複数の決定結果のうちのいずれかに対応する対応表示を行った後、当該第１領域における前記対応表示と当該第２領域における前記対応表示とのうちのいずれかを選択することで、前記事前決定手段の決定結果を示唆する特定演出を実行可能な特定演出実行手段とを備え、
前記事前決定手段の決定結果には、所定決定結果と、特定決定結果と、遊技者に有利なことを示唆する有利示唆表示結果の導出を許容する特別決定結果と、が含まれ、
前記事前決定手段の決定結果が前記特別決定結果であるときには、前記特定演出実行手段により前記特定演出は実行されず、
前記対応表示には、前記所定決定結果に対応する所定対応表示と、前記特定決定結果に対応する特定対応表示とが含まれ、
前記特定演出実行手段は、
前記第１領域において前記所定対応表示を行う場合と、前記第２領域において前記所定対応表示を行う場合とで、互いに異なる態様で当該所定対応表示を行い、
前記第１領域において前記特定対応表示を行う場合と、前記第２領域において前記特定対応表示を行う場合とで、同一または略同一の態様で当該特定対応表示を行う、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
導出を許容する表示結果を決定する事前決定手段（たとえば、メイン制御部４１が実行する内部抽選処理のうちの第１抽選処理）と、
第１領域（たとえば、液晶表示器５１の画面左側の領域）および第２領域（たとえば、液晶表示器５１の画面右側の領域）のそれぞれにおいて前記事前決定手段が決定可能な複数の決定結果のうちのいずれかに対応する対応表示（たとえば、青色対応表示（青色対応画像８１ａの表示）、紫色対応表示（紫色対応画像８１ｂの表示））を行った後、当該第１領域における前記対応表示と当該第２領域における前記対応表示とのうちのいずれかを選択することで、前記事前決定手段の決定結果を示唆する特定演出（たとえば、当選示唆演出）を実行する（たとえば、図５に示すように、第１領域において通常リプレイ当選に対応する青色対応表示を行うとともに第２領域においてレア役（スイカ、チャンスリプレイ）当選に対応する紫色対応表示が行った後、青色対応表示と紫色対応表示とのうちのいずれかを選択することで当選結果を示唆する当選示唆演出を実行する）特定演出実行手段（たとえば、サブ制御部９１が実行する当選示唆演出）とを備え、
前記事前決定手段の決定結果には、所定決定結果（たとえば、通常リプレイ当選）と特定決定結果（たとえば、レア役（スイカ、チャンスリプレイ）当選）とが含まれ、
前記対応表示には、前記所定決定結果に対応する所定対応表示（たとえば、通常リプレイ当選に対応する青色対応表示）と、前記特定決定結果に対応する特定対応表示（たとえば、レア役に対応する紫色対応表示）と、遊技者に有利なことを示唆する有利示唆表示結果の導出を許容する特別決定結果と、が含まれ、
前記事前決定手段の決定結果が前記特別決定結果であるときには、前記特定演出実行手段により前記特定演出は実行されず、
前記特定演出実行手段は、
前記第１領域において前記所定対応表示を行う場合と、前記第２領域において前記所定対応表示を行う場合とで、互いに異なる態様で当該所定対応表示を行い（たとえば、図７に示すように、第１領域において青色対応表示が行われる場合は丸い形状の青色対応画像８１ａが表示される（図７（ａ））のに対し、第２領域において青色対応表示が行われる場合は四角い形状の青色対応画像８１ｃが表示される（図７（ｂ））ため、互いに異なる態様で青色対応表示が行われる）、
前記第１領域において前記特定対応表示を行う場合と、前記第２領域において前記特定対応表示を行う場合とで、同一または略同一の態様で当該特定対応表示を行う（たとえば、図７に示すように、第１領域において紫色対応表示が行われる場合（図７（ａ））と、第２領域において紫色対応表示が行われる場合（図７（ｂ））とでは、いずれも星形の形状の紫色対応画像８１ｂが表示されるため、同一の態様で紫色対応表示が行われる）。
【手続補正書】
【提出日】令和3年1月13日(2021.1.13)
【手続補正１】
【補正対象書類名】明細書
【補正対象項目名】０１０５
【補正方法】変更
【補正の内容】
【０１０５】
また、上記実施形態では、第１抽選の際に、出現率が定義されたクッキー出現データベース５０４やレア度データベース５０５、すなわち、抽選テーブルを利用していた。他の実施形態では、このような抽選テーブルは用いず、どのような抽選方法であってもよい。例えば、ユーザ毎に「クッキー」の出現順番を決めておくようにしておき、この順番に沿って「クッキー」を陳列するような抽選方法でもよい。また、例えば、第１抽選が実行された時刻に応じて陳列される「クッキー」を決めるような抽選方法でもよい。また、例えば出現率を一律のものとして、ランダムで選択するような構成としてもよい。また、第２抽選についても同様に、どのような抽選方法を用いてもよい。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
遊技を行う遊技機であって、
複数種類の電子部品が搭載された基板を備え、
前記複数種類の電子部品は、文字情報が記された特定電子部品と、複数の識別電子部品と、を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に搭載されており、
前記基板上における前記特定電子部品の実装位置の近傍には、前記実装位置に実装される前記特定電子部品と対応した文字情報が記されており、
前記基板上に記された文字情報と、前記実装位置に実装された前記特定電子部品に記された文字情報の向きが共通するように、前記実装位置に実装された前記特定電子部品が前記基板に搭載されている、遊技機。
【手続補正２】
【補正対象書類名】明細書
【補正対象項目名】０００６
【補正方法】変更
【補正の内容】
【０００６】
（Ａ）  遊技を行う遊技機であって、
複数種類の電子部品が搭載された基板を備え、
前記複数種類の電子部品は、文字情報が記された特定電子部品と、複数の識別電子部品と、を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に搭載されており、
前記基板上における前記特定電子部品の実装位置の近傍には、前記実装位置に実装される前記特定電子部品と対応した文字情報が記されており、
前記基板上に記された文字情報と、前記実装位置に実装された前記特定電子部品に記された文字情報の向きが共通するように、前記実装位置に実装された前記特定電子部品が前記基板に搭載されている。
（１）遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板（例えば、基板１等）を備え、前記複数種類の電子部品は、複数の識別電子部品（例えば、第２出力回路１２、第３出力回路１３、第４出力回路１４、第５出力回路１５、第１入力回路２１等）を含み、前記複数の識別電子部品は、第１種類の識別電子部品（例えば、出力回路として使用される第３出力回路１３等）と第２種類の識別電子部品（例えば、入力回路として使用される第１入力回路２１等）とを含んでおり、前記第１種類の識別電子部品と前記第２種類の識別電子部品とは、外見から識別できるよう（第３出力回路１３と第１入力回路２１とは、外見から識別できるように、前面に表示された「型番３」の文字の向きが異なり、互いに反転させた関係となっている等）に、前記基板に搭載されていることを特徴とする。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
遊技を行う遊技機であって、
複数種類の電子部品が搭載された基板を備え、
前記複数種類の電子部品は、
文字情報が記された特定電子部品と、
極性のない２つの端子を備え、所定のマークが付された複数の印付電子部品と、
複数の端子を有する特殊電子部品と、
所定電子部品と、を含み、
前記特殊電子部品における複数の端子には、それぞれ前記印付電子部品が接続されており、
前記所定電子部品には、前記印付電子部品が接続されており、
前記特殊電子部品における複数の端子に接続された複数の前記印付電子部品は、前記所定のマークの向きが共通するように、前記基板に並んで搭載されているとともに、
前記所定電子部品に接続された前記印付電子部品は、前記特殊電子部品における複数の端子に接続された複数の前記印付電子部品と並んで、前記特殊電子部品における複数の端子に接続された複数の前記印付電子部品と前記所定のマークの向きが共通するように、前記基板に搭載されており、
前記基板上における前記特定電子部品の実装位置の近傍には、前記実装位置に実装される前記特定電子部品と対応した文字情報が記されており、
前記基板上に記された文字情報と、前記実装位置に実装された前記特定電子部品に記された文字情報の向きが共通するように、前記実装位置に実装された前記特定電子部品が前記基板に搭載されている、遊技機。
【手続補正２】
【補正対象書類名】明細書
【補正対象項目名】０００６
【補正方法】変更
【補正の内容】
【０００６】
（Ａ）遊技を行う遊技機であって、
複数種類の電子部品が搭載された基板を備え、
前記複数種類の電子部品は、
文字情報が記された特定電子部品と、
極性のない２つの端子を備え、所定のマークが付された複数の印付電子部品と、
複数の端子を有する特殊電子部品と、
所定電子部品と、を含み、
前記特殊電子部品における複数の端子には、それぞれ前記印付電子部品が接続されており、
前記所定電子部品には、前記印付電子部品が接続されており、
前記特殊電子部品における複数の端子に接続された複数の前記印付電子部品は、前記所定のマークの向きが共通するように、前記基板に並んで搭載されているとともに、
前記所定電子部品に接続された前記印付電子部品は、前記特殊電子部品における複数の端子に接続された複数の前記印付電子部品と並んで、前記特殊電子部品における複数の端子に接続された複数の前記印付電子部品と前記所定のマークの向きが共通するように、前記基板に搭載されており、
前記基板上における前記特定電子部品の実装位置の近傍には、前記実装位置に実装される前記特定電子部品と対応した文字情報が記されており、
前記基板上に記された文字情報と、前記実装位置に実装された前記特定電子部品に記された文字情報の向きが共通するように、前記実装位置に実装された前記特定電子部品が前記基板に搭載されている。
（１）遊技を行う遊技機（例えば、スロットマシン、パチンコ遊技機等）であって、複数種類の電子部品（例えば、主要回路、入力回路、出力回路、入出力端子、抵抗、トランジスタ、コンデンサ等）が搭載された基板を備え、前記複数種類の電子部品は、極性のない２つの端子（例えば、抵抗等）を備え、所定のマーク（例えば、第１ラインＬ１〜第４ラインＬ４からなる第１カラーコードＣＣ１等）が付された複数の印付電子部品（例えば、第１抵抗素子３１〜第８抵抗素子３８等）と、複数の端子を有する特殊電子部品（例えば、第１セグメント表示部５１〜第４セグメント表示部５４等）を含み、前記特殊電子部品における複数の端子には、それぞれ前記印付電子部品が接続されており、前記特殊電子部品における複数の端子に接続された複数の前記印付電子部品は、前記所定のマークの向きが共通する（例えば、第１抵抗素子３１〜第８抵抗素子３８は、第１ラインＬ１〜第４ラインＬ４がそれぞれ一直線上に配置されるように並べられている等）ように、前記基板に搭載されていることを特徴とする。
【手続補正書】
【提出日】令和3年4月9日(2021.4.9)
【手続補正１】
【補正対象書類名】明細書
【補正対象項目名】発明の名称
【補正方法】変更
【補正の内容】
【発明の名称】生体情報監視システム、情報監視システム、送信装置、記録装置及びコンピュータプログラム
【手続補正２】
【補正対象書類名】明細書
【補正対象項目名】０００１
【補正方法】変更
【補正の内容】
【０００１】
本発明は、情報を検出し、検出した情報を監視する生体情報監視システム及び情報監視システム、そのような生体情報監視システムに用いられる送信装置及び記録装置、並びにそのような送信装置及び記録装置を実現するためのコンピュータプログラムに関する。
【手続補正３】
【補正対象書類名】明細書
【補正対象項目名】０００５
【補正方法】変更
【補正の内容】
【０００５】
本発明は斯かる事情に鑑みてなされたものであり、例えば、老人、病人、要介護者等の対象者から検出した生体情報に異常値が存在した場合に、例えば、医師等の操作者が端末装置を操作することにより、迅速な対応が可能となる生体情報監視システムの提供を目的とする。また、環境情報を検出する情報監視システムの提供を目的とする。
【手続補正４】
【補正対象書類名】特許請求の範囲
【補正対象項目名】全文
【補正方法】変更
【補正の内容】
【特許請求の範囲】
【請求項１】
屋内に配置される一又は複数の被制御装置と、
前記被制御装置と同じ屋内に配置され、生体情報を検出する検出部と、
前記検出部が検出した生体情報を記録させるべく、生体情報を記録する記録装置へ送信する送信装置と、
前記被制御装置及び記録装置と通信可能な端末装置と
を備え、
前記検出部が検出した生体情報が、予め設定されている判定条件を充足する場合に、
前記検出部に関する識別情報を前記端末装置へ送信する識別情報送信手段と、
前記被制御装置に遠隔制御を許可させる制御許可手段と
を備え、
前記端末装置は、
受信した識別情報に基づき前記記録装置に記録されている生体情報を閲覧する手段と、
受信した識別情報に基づき前記被制御装置を遠隔制御する手段と
を備える
ことを特徴とする生体情報監視システム。
【請求項２】
請求項１に記載の生体情報監視システムであって、
前記複数の被制御装置のうちの第１の被制御装置は、
映像情報及び音声情報の少なくとも一方の情報を取得する取得手段を有する
ことを特徴とする生体情報監視システム。
【請求項３】
請求項２に記載の生体情報監視システムであって、
前記第１の被制御装置と異なる第２の被制御装置は、
前記第１の被制御装置が備える取得手段による取得を支援する取得支援手段を有する
ことを特徴とする生体情報監視システム。
【請求項４】
請求項１乃至請求項３のいずれか１項に記載の生体情報監視システムであって、
前記被制御装置は、
屋内環境を制御する環境制御手段を有する
ことを特徴とする生体情報監視システム。
【請求項５】
請求項１乃至請求項４のいずれか１項に記載の生体情報監視システムであって、
前記被制御装置は、
屋内、又は屋内における前記検出部が配置された室内への進入を許可する進入許可手段を有する
ことを特徴とする生体情報監視システム。
【請求項６】
請求項１乃至請求項５のいずれか１項に記載の生体情報監視システムであって、
前記送信装置は、
前記検出部、識別情報送信手段及び制御許可手段を備える
ことを特徴とする生体情報監視システム。
【請求項７】
請求項１乃至請求項５のいずれか１項に記載の生体情報監視システムであって、
前記記録装置を備え、
前記記録装置は、
前記識別情報送信手段及び制御許可手段を備える
ことを特徴とする生体情報監視システム。
【請求項８】
屋内に配置される一又は複数の被制御装置と、
前記被制御装置と同じ屋内に配置され、環境情報を検出する検出部と、
前記検出部が検出した環境情報を記録させるべく、環境情報を記録する記録装置へ送信する送信装置と、
前記被制御装置及び記録装置と通信可能な端末装置と
を備え、
前記検出部が検出した環境情報が、予め設定されている判定条件を充足する場合に、
前記検出部に関する識別情報を前記端末装置へ送信する識別情報送信手段と、
前記被制御装置に遠隔制御を許可させる制御許可手段と
を備え、
前記端末装置は、
受信した識別情報に基づき前記記録装置に記録されている環境情報を閲覧する手段と、
受信した識別情報に基づき前記被制御装置を遠隔制御する手段と
を備える
ことを特徴とする生体情報監視システム。
【請求項９】
検出した生体情報を送信する送信装置であって、
生体情報を検出する検出部と、
前記検出部が検出した生体情報を記録させるべく、記録用の装置へ送信する手段と、
前記検出部が検出した生体情報が、予め設定されている判定条件を充足する場合に、
前記検出部に関する識別情報を、被制御装置を制御する制御用の装置へ送信する手段と、
前記被制御装置に遠隔制御を許可させる手段と
を備えることを特徴とする送信装置。
【請求項１０】
生体情報及び生体情報に関する識別情報を対応付けて記録する記録装置であって、
生体情報が予め設定されている判定条件を充足する場合に、
判定条件を充足する生体情報に関する識別情報を、被制御装置を制御する制御用の装置へ送信する手段と、
前記被制御装置に遠隔制御を許可させる手段と
を備えることを特徴とする記録装置。
【請求項１１】
コンピュータに、
検出された生体情報が、予め設定されている判定条件を充足する場合に、
前記生体情報に関する識別情報を、被制御装置を制御する制御用の装置へ送信させるステップと、
前記被制御装置に、遠隔制御を許可させるステップと
を実行させることを特徴とするコンピュータプログラム。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
前後方向と、
前記前後方向に直交する幅方向と、
表面シート、裏面シート及び吸収コアを有する本体部と、
前記裏面シートに配置され、着用物品に吸収性物品を接合する粘着部と、
前記粘着部と前記本体部の外縁の間において、前記裏面シートに配置された後処理用のテープ部材と、を有する吸収性物品であって、
前記テープ部材は、
前記テープ部材の一端側から他端側に向かう第１方向と、
前記第１方向と直交する第２方向と、
前記裏面シートに固定された固定部と、
前記裏面シートに剥離可能に接合された仮固定部と、
前記裏面シートに固定されていない非固定部と、を有し、
前記固定部における前記テープ部材と前記裏面シートの接合強度は、前記仮固定部における前記テープ部材と前記裏面シートの接合強度よりも高く、
前記非固定部は、前記第２方向において前記固定部の両側に配置されている、吸収性物品。
【請求項２】
前記粘着部の着用物品に対する接合強度は、前記仮固定部の前記裏面シートに対する接合強度よりも高い、請求項１に記載の吸収性物品。
【請求項３】
前記仮固定部は、前記吸収性物品の使用後に前記テープ部材と止着する止着手段と別に設けられている、請求項１又は請求項２に記載の吸収性物品。
【請求項４】
前記粘着部の前記前後方向の長さは、前記仮固定部の前記前後方向の長さよりも長い、請求項１から請求項３のいずれか１項に記載の吸収性物品。
【請求項５】
前後方向と、
前記前後方向に直交する幅方向と、
表面シート、裏面シート及び吸収コアを有する本体部と、
前記裏面シートに配置され、着用物品に吸収性物品を接合する粘着部と、
前記裏面シートに配置された後処理用のテープ部材と、を有する吸収性物品であって、
前記テープ部材は、
前記テープ部材の前記前後方向の一端側から他端側に向かう第１方向と、
前記第１方向と直交する第２方向と、
前記裏面シートに接合された固定部と、
前記裏面シートに剥離可能に接合された仮固定部と
前記裏面シートに固定されていない非固定部と、を有し、
前記粘着部の一部は、前記仮固定部を構成し、
前記固定部における前記テープ部材と前記裏面シートの接合強度は、前記仮固定部における前記テープ部材と前記裏面シートの接合強度よりも高く、
前記非固定部は、前記第２方向において前記固定部の両側に配置されている、吸収性物品。
【請求項６】
前記固定部と前記仮固定部は、前記第１方向において隣接し、
前記非固定部は、前記第２方向における前記仮固定部の両側にも配置され、前記固定部の両側と前記仮固定部の両側を跨っている、請求項１から５のいずれか１項に記載の吸収性物品。
【請求項７】
前記非固定部は、前記テープ部材の前記第２方向の外縁を含む外縁領域において、前記テープ部材の前記第１方向の全域に配置されている、請求項１から請求項６のいずれか１項に記載の吸収性物品。
【請求項８】
前記固定部は、前記テープ部材の前記一端側に配置されており、
前記非固定部は、前記テープ部材の前記他端を含む他端領域において、前記テープ部材の前記第２方向の全域に配置されている、請求項１から請求項７のいずれか１項に記載の吸収性物品。
【請求項９】
前記固定部の前記第２方向の長さは、前記仮固定部の前記第２方向の長さよりも長い、
請求項１から請求項８のいずれか１項に記載の吸収性物品。
【請求項１０】
前記テープ部材の非肌対向面の摩擦係数は、前記裏面シートの非肌対向面の摩擦係数よりも高い、請求項１から請求項９のいずれか１項に記載の吸収性物品。
【請求項１１】
前記裏面シートの非肌対向面の摩擦係数は、前記テープ部材の非肌対向面の摩擦係数よりも高い、請求項１から請求項９のいずれか１項に記載の吸収性物品。
【請求項１２】
前記仮固定部は、前記吸収コアの外縁を跨がって配置されている、請求項１から請求項１１のいずれか１項に記載の吸収性物品。
【請求項１３】
前記吸収性物品は、折り目を基点に折り畳まれており、
前記テープ部材は、前記折り目を跨いでいる、請求項１から請求項１２のいずれか１項に記載の吸収性物品。
【請求項１４】
前記テープ部材の前記第２方向の長さは、前記粘着部の前記第２方向の長さよりも短い、請求項１から１３のいずれか１項に記載の吸収性物品。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
生体の体表面に接触した接触状態で前記生体の生体音を測定する生体音測定装置であって、
前記接触状態において前記体表面によって密閉される空間に配置された、前記生体音を測定するための第一の音測定器と、
前記空間の外側に設けられた、前記生体音測定装置の周囲の音を測定するための第二の音測定器と、
前記第一の音測定器により測定された第一の音と、前記第二の音測定器により測定された第二の音の予め決められた特定周波数における強度の差に基づいて、前記第一の音測定器による前記生体音の測定精度を判定し、前記測定精度が所定値未満の場合に報知を行う制御部と、を備える生体音測定装置。
【請求項２】
請求項１記載の生体音測定装置であって、
前記特定周波数は、１０Ｈｚ以上２００Ｈｚ以下の周波数域から選ばれたものである生体音測定装置。
【請求項３】
請求項１記載の生体音測定装置であって、
前記特定周波数は、１ｋＨｚより大きく７ｋＨｚ以下の周波数域から選ばれたものである生体音測定装置。
【請求項４】
請求項１から３のいずれか１項記載の生体音測定装置であって、
前記制御部は、前記第一の音の前記特定周波数における強度と、前記第二の音の前記特定周波数における強度との差の絶対値が予め決められた閾値未満の場合に、前記測定精度が前記所定値未満であると判定し、前記絶対値が前記閾値以上の場合に、前記測定精度が前記所定値以上であると判定する生体音測定装置。
【請求項５】
請求項１から４のいずれか１項記載の生体音測定装置であって、
前記制御部は、前記生体音測定装置の前記体表面に対する押し当て方の変更を促すメッセージを出力することで前記報知を行う生体音測定装置。
【請求項６】
生体の体表面に接触した接触状態で前記生体の生体音を測定する生体音測定装置による生体音の測定を支援する生体音測定支援方法であって、
前記生体音測定装置は、前記接触状態において前記体表面によって密閉される空間に配置された、前記生体音を測定するための第一の音測定器と、前記空間の外側に設けられた、前記生体音測定装置の周囲の音を測定するための第二の音測定器と、を有し、
前記第一の音測定器により測定された第一の音と、前記第二の音測定器により測定された第二の音の予め決められた特定周波数における強度の差に基づいて、前記第一の音測定器による前記生体音の測定精度を判定し、前記測定精度が所定値未満の場合に報知を行う制御ステップを備える生体音測定支援方法。
【請求項７】
生体の体表面に接触した接触状態で前記生体の生体音を測定する生体音測定装置による生体音の測定を支援する生体音測定支援プログラムであって、
前記生体音測定装置は、前記接触状態において前記体表面によって密閉される空間に配置された、前記生体音を測定するための第一の音測定器と、前記空間の外側に設けられた、前記生体音測定装置の周囲の音を測定するための第二の音測定器と、を有し、
前記第一の音測定器により測定された第一の音と、前記第二の音測定器により測定された第二の音の予め決められた特定周波数における強度の差に基づいて、前記第一の音測定器による前記生体音の測定精度を判定し、前記測定精度が所定値未満の場合に報知を行う制御ステップをコンピュータに実行させるための生体音測定支援プログラム。
【手続補正書】
【提出日】令和3年3月15日(2021.3.15)
【手続補正１】
【補正対象書類名】明細書
【補正対象項目名】００１５
【補正方法】変更
【補正の内容】
【００１５】
非特許文献１では、与えられた照射条件におけるｆｄ（ｚｄ，ｚｎ）およびｆｎ（ｚｎ，Ｄ）を計算するための計算モデルを開発され、［数３］および［数４］を数値的に解いた。複数イベント照射のｆｄ（ｚｄ，ｚｎ）およびｆｎ（ｚｎ，Ｄ）の計算は、それぞれの照射条件についてモンテカルロ法による巨視的ビーム輸送シミュレーションを必要とし、さらに、ｚｄおよびｚｎの単一イベント確率密度ｆｄ，１（ｚｎ）およびｆｎ，１（ｚｎ）の畳み込み積分を必要とするので、計算時間が膨大であった。
【手続補正２】
【補正対象書類名】明細書
【補正対象項目名】００６１
【補正方法】変更
【補正の内容】
【００６１】
加速器４は荷電粒子ビーム３の強度を調整する。  
照射装置６は、荷電粒子ビーム３をビーム進行方向（Ｚ方向）に垂直な平面を形成するＸ−Ｙ方向に偏向させるスキャニングマグネット（図示省略）と、荷電粒子ビーム３の位置を監視する線量モニタ（図示省略）と、Ｚ方向の荷電粒子ビーム３の停止位置を調整するレンジシフタ（図示省略）とを備え、ターゲット部８に対しスキャン軌道に沿って荷電粒子ビーム３をスキャンする。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
所定条件の成立を契機として当否判定を実行する当否判定手段と、
前記当否判定手段による当否判定結果を報知する演出が実行されていないときに、外国語を含む複数種の言語のうちから遊技者に好みの言語を選択させる言語選択画面を表示装置に表示させることが可能な表示制御手段と、
前記当否判定手段による当否判定結果を報知する演出の少なくとも一部を、前記言語選択画面において選択された言語を用いて実行する演出実行手段と、
を備え、
所定の遊技仕様を遊技者が任意にカスタマイズすることが可能であり、
前記言語選択画面において複数種の言語のうちのいずれかが新たに選択されたときには、前記遊技仕様が初期仕様にリセットされることを特徴とする遊技機。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
所定表示が可能な表示手段と、
前記表示手段の表示制御を行う表示制御手段と、
設定値に応じた付与条件を満たした場合に、遊技者に有利な特典を付与可能な遊技機において、
前記表示制御手段は、
前記表示手段において、前記設定値の変更を示唆し得る第１示唆表示と、前記設定値を示唆し得る第２示唆表示と、をそれぞれ個別に表示可能であり、
前記第１示唆表示は、電源投入後から所定条件が成立するまでのいずれかのタイミングで表示可能であるとともに、前記所定条件が成立した後は少なくとも電断が発生して再度電源投入されるまでは再表示が不能とされ、
前記第２示唆表示は、電源投入後の所定のタイミングで表示可能であるとともに、前記所定条件が成立した後でも再表示が可能とされた、
ことを特徴とする遊技機。
【請求項２】
前記付与条件の達成を示唆し得る第３示唆表示を表示可能であり、
前記第３示唆表示は、前記所定条件の成立を契機とする出現率の変更が行われない、
ことを特徴とする請求項１に記載の遊技機。
【請求項３】
前記所定条件とは異なる第２条件が成立した場合に、前記第２設定示唆表示の出現率が高くなるようにした、
ことを特徴とする請求項２に記載の遊技機。
【請求項４】
前記第３示唆表示は、前記所定条件および前記第２条件のいずれが成立した場合であっても、それらを契機とする出現率の変更が行われない、
ことを特徴とする請求項３に記載の遊技機。
【手続補正２】
【補正対象書類名】明細書
【補正対象項目名】０００５
【補正方法】変更
【補正の内容】
【０００５】
そこで本発明の目的は、遊技者の遊技興趣を向上させうる遊技機を提供することにある。
【手続補正３】
【補正対象書類名】明細書
【補正対象項目名】０００６
【補正方法】変更
【補正の内容】
【０００６】
（１）本発明は、所定表示が可能な表示手段と、前記表示手段の表示制御を行う表示制御手段と、設定値に応じた付与条件を満たした場合に、遊技者に有利な特典を付与可能な遊技機において、前記表示制御手段は、前記表示手段において、前記設定値の変更を示唆し得る第１示唆表示と、前記設定値を示唆し得る第２示唆表示と、をそれぞれ個別に表示可能であり、前記第１示唆表示は、電源投入後から所定条件が成立するまでのいずれかのタイミングで表示可能であるとともに、前記所定条件が成立した後は少なくとも電断が発生して再度電源投入されるまでは再表示が不能とされ、前記第２示唆表示は、電源投入後の所定のタイミングで表示可能であるとともに、前記所定条件が成立した後でも再表示が可能とされた、ことを特徴とする。
（２）また本発明は、上記（１）に加え、前記付与条件の達成を示唆し得る第３示唆表示を表示可能であり、前記第３示唆表示は、前記所定条件の成立を契機とする出現率の変更が行われない、ことを特徴とする。
（３）また本発明は、上記（２）に加え、前記所定条件とは異なる第２条件が成立した場合に、前記第２設定示唆表示の出現率が高くなるようにした、ことを特徴とする。
（４）また本発明は、上記（３）に加え、前記第３示唆表示は、前記所定条件および前記第２条件のいずれが成立した場合であっても、それらを契機とする出現率の変更が行われない、ことを特徴とする。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
所定の始動条件が成立した場合に大当り及び小当りの抽選を行う抽選手段を備え、該抽選手段による抽選結果が所定の大当りの当選に対応した所定の第１結果である場合に通常の遊技状態に比べて有利な特別遊技状態を発生し、前記抽選手段による抽選結果が前記特別遊技状態の発生を伴わない所定の小当りの当選に対応した所定の第２結果である場合に当該所定の小当りの当選に対応した所定の特定遊技状態を発生する遊技機であって、
前記抽選手段による抽選結果が前記所定の第１結果である場合の少なくとも一部において、前記特別遊技状態の終了後に、通常遊技状態より遊技者にとって有利な所定の有利遊技状態を発生させ、当該有利遊技状態の開始後に予め決められた回数の前記所定の小当りに当選し、当該所定の小当りの当選に対応した前記特定遊技状態が発生した場合に当該有利遊技状態から当該有利遊技状態とは異なる遊技状態へと遷移させる遊技状態制御手段を備え、
前記小当りの当選として、前記所定の小当りと、当該所定の小当りとは別の種類の小当りであって前記予め決められた回数の計数に関係しない小当りとが設けられていることを特徴とする遊技機。
【手続補正２】
【補正対象書類名】明細書
【補正対象項目名】０００２
【補正方法】変更
【補正の内容】
【０００２】
従来、遊技機の代表例としてパチンコ機がある。従来の典型的なパチンコ機においては、通常遊技として始動口へ遊技球が入球した場合に抽選が行われ、当該抽選によって大当りに当選した場合に特別遊技状態となって遊技球が大入賞口へ多数入賞可能となる構成が知られている。この種の遊技機において、近年では、前記抽選による抽選結果として、大当りでなくても遊技球が大入賞口に入賞可能となる抽選結果（例えば、小当り）を設けることで遊技を多様にしたものも知られている（例えば、特許文献１参照）。
【手続補正３】
【補正対象書類名】明細書
【補正対象項目名】０００３
【補正方法】変更
【補正の内容】
【０００３】
【特許文献１】特開２０１６−１８９８７３号公報
【手続補正４】
【補正対象書類名】明細書
【補正対象項目名】０００４
【補正方法】変更
【補正の内容】
【０００４】
しかしながら、大当りでなくても遊技球が大入賞口に入賞可能となる抽選結果が設けられた遊技機の遊技性について未だ改良の余地がある可能性があった。
【手続補正５】
【補正対象書類名】明細書
【補正対象項目名】０００５
【補正方法】変更
【補正の内容】
【０００５】
本発明は、上記例示した事情等に鑑みてなされたものであり、遊技性を好適に向上することが可能な遊技機を提供することを目的とするものである。
【手続補正６】
【補正対象書類名】明細書
【補正対象項目名】０００６
【補正方法】変更
【補正の内容】
【０００６】
本発明に係る遊技機は、上記の課題を解決するために、
所定の始動条件が成立した場合に大当り及び小当りの抽選を行う抽選手段を備え、該抽選手段による抽選結果が所定の大当りの当選に対応した所定の第１結果である場合に通常の遊技状態に比べて有利な特別遊技状態を発生し、前記抽選手段による抽選結果が前記特別遊技状態の発生を伴わない所定の小当りの当選に対応した所定の第２結果である場合に当該所定の小当りの当選に対応した所定の特定遊技状態を発生する遊技機であって、
前記抽選手段による抽選結果が前記所定の第１結果である場合の少なくとも一部において、前記特別遊技状態の終了後に、通常遊技状態より遊技者にとって有利な所定の有利遊技状態を発生させ、当該有利遊技状態の開始後に予め決められた回数の前記所定の小当りに当選し、当該所定の小当りの当選に対応した前記特定遊技状態が発生した場合に当該有利遊技状態から当該有利遊技状態とは異なる遊技状態へと遷移させる遊技状態制御手段を備え、
前記小当りの当選として、前記所定の小当りと、当該所定の小当りとは別の種類の小当りであって前記予め決められた回数の計数に関係しない小当りとが設けられていることを特徴としている。
【手続補正７】
【補正対象書類名】明細書
【補正対象項目名】０００７
【補正方法】変更
【補正の内容】
【０００７】
本発明によれば、遊技性を好適に向上することが可能な遊技機を提供することができる。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
所定の始動条件が成立した場合に大当り及び小当りの抽選を行う抽選手段を備え、該抽選手段による抽選結果が所定の大当りの当選に対応した所定の第１結果である場合に通常の遊技状態に比べて有利な特別遊技状態を発生し、前記抽選手段による抽選結果が前記特別遊技状態の発生を伴わない所定の小当りの当選に対応した所定の第２結果である場合に当該所定の小当りの当選に対応した所定の特定遊技状態を発生する遊技機であって、
前記抽選手段による抽選結果が前記所定の第１結果である場合の少なくとも一部において、前記特別遊技状態の終了後に、通常遊技状態より遊技者にとって有利な所定の有利遊技状態を発生させ、当該有利遊技状態の開始後に予め決められた第１回数の前記所定の小当りに当選し、当該所定の小当りの当選に対応した前記特定遊技状態が発生した場合に当該有利遊技状態から当該有利遊技状態とは異なる別の遊技状態へと遷移させる第１遊技状態制御手段と、
前記有利遊技状態の開始後において、前記第１回数の前記所定の小当りの当選に対応する遊技が実行されるより前に、前記大当り抽選に非当選の遊技が前記第１回数とは別の第２回数実行された場合に、前記有利遊技状態から前記別の遊技状態へ遷移させる第２遊技状態制御手段とを備えていることを特徴とする遊技機。
【手続補正２】
【補正対象書類名】明細書
【補正対象項目名】０００２
【補正方法】変更
【補正の内容】
【０００２】
従来、遊技機の代表例としてパチンコ機がある。従来の典型的なパチンコ機においては、通常遊技として始動口へ遊技球が入球した場合に抽選が行われ、当該抽選によって大当りに当選した場合に特別遊技状態となって遊技球が大入賞口へ多数入賞可能となる構成が知られている。この種の遊技機において、近年では、前記抽選による抽選結果として、大当りでなくても遊技球が大入賞口に入賞可能となる抽選結果（例えば、小当り）を設けることで遊技を多様にしたものも知られている（例えば、特許文献１参照）。
【手続補正３】
【補正対象書類名】明細書
【補正対象項目名】０００３
【補正方法】変更
【補正の内容】
【０００３】
【特許文献１】特開２０１６−１８９８７３号公報
【手続補正４】
【補正対象書類名】明細書
【補正対象項目名】０００４
【補正方法】変更
【補正の内容】
【０００４】
しかしながら、大当りでなくても遊技球が大入賞口に入賞可能となる抽選結果が設けられた遊技機の遊技性について未だ改良の余地がある可能性があった。
【手続補正５】
【補正対象書類名】明細書
【補正対象項目名】０００５
【補正方法】変更
【補正の内容】
【０００５】
本発明は、上記例示した事情等に鑑みてなされたものであり、遊技性を好適に向上することが可能な遊技機を提供することを目的とするものである。
【手続補正６】
【補正対象書類名】明細書
【補正対象項目名】０００６
【補正方法】変更
【補正の内容】
【０００６】
本発明に係る遊技機は、上記の課題を解決するために、
所定の始動条件が成立した場合に大当り及び小当りの抽選を行う抽選手段を備え、該抽選手段による抽選結果が所定の大当りの当選に対応した所定の第１結果である場合に通常の遊技状態に比べて有利な特別遊技状態を発生し、前記抽選手段による抽選結果が前記特別遊技状態の発生を伴わない所定の小当りの当選に対応した所定の第２結果である場合に当該所定の小当りの当選に対応した所定の特定遊技状態を発生する遊技機であって、
前記抽選手段による抽選結果が前記所定の第１結果である場合の少なくとも一部において、前記特別遊技状態の終了後に、通常遊技状態より遊技者にとって有利な所定の有利遊技状態を発生させ、当該有利遊技状態の開始後に予め決められた第１回数の前記所定の小当りに当選し、当該所定の小当りの当選に対応した前記特定遊技状態が発生した場合に当該有利遊技状態から当該有利遊技状態とは異なる別の遊技状態へと遷移させる第１遊技状態制御手段と、
前記有利遊技状態の開始後において、前記第１回数の前記所定の小当りの当選に対応する遊技が実行されるより前に、前記大当り抽選に非当選の遊技が前記第１回数とは別の第２回数実行された場合に、前記有利遊技状態から前記別の遊技状態へ遷移させる第２遊技状態制御手段とを備えていることを特徴としている。
【手続補正７】
【補正対象書類名】明細書
【補正対象項目名】０００７
【補正方法】変更
【補正の内容】
【０００７】
本発明によれば、遊技性を好適に向上することが可能な遊技機を提供することができる。
【手続補正書】
【提出日】令和3年3月28日(2021.3.28)
【手続補正１】
【補正対象書類名】特許請求の範囲
【補正対象項目名】全文
【補正方法】変更
【補正の内容】
【特許請求の範囲】
【請求項１】
画像表示が可能な表示手段と、
前記表示手段による種々の演出表示を実行制御可能な表示制御手段と、
少なくとも小当りを含む当り種別を対象に抽選を実行する抽選手段と、
前記抽選手段により前記小当りが抽選された場合、可変入賞手段を開閉制御する開閉動作遊技を含む小当り遊技を実行制御する小当り遊技制御手段と、
前記小当り遊技中に前記可変入賞手段内に設けられた特定領域を遊技球が通過した場合、前記可変入賞手段を開閉制御するラウンド遊技を含むＶ当り遊技を実行制御するＶ当り遊技制御手段と、
前記可変入賞手段に入賞した遊技球の数をカウント可能なカウント手段と、
を備える遊技機であって、
前記表示制御手段は、
前記小当り遊技中に小当り演出を実行可能な小当り演出制御手段と、
前記Ｖ当り遊技中にＶ当り演出を実行可能なＶ当り演出制御手段と、を備え、
前記小当り演出制御手段は、前記小当り演出において、当該小当り遊技中に前記カウント手段によってカウントされた入賞数を表示せず、
前記Ｖ当り演出制御手段は、前記Ｖ当り演出において、前記小当り遊技中に前記カウント手段によってカウントされた入賞数と、当該Ｖ当り遊技中に前記カウント手段によってカウントされた入賞数を合算して表示可能とした、
ことを特徴とする遊技機。
【請求項２】
前記Ｖ当り演出制御手段は、前記Ｖ当り演出において、前記小当り遊技中に前記カウント手段によってカウントされた入賞数と、当該Ｖ当り遊技中に前記カウント手段によってカウントされた入賞数を識別可能な表示態様で表示可能とした、
ことを特徴とする請求項１に記載の遊技機。
【手続補正２】
【補正対象書類名】明細書
【補正対象項目名】０００５
【補正方法】変更
【補正の内容】
【０００５】
そこで本発明の目的は、遊技者の遊技意欲を向上しうる遊技機を提供することにある。
【手続補正３】
【補正対象書類名】明細書
【補正対象項目名】０００６
【補正方法】変更
【補正の内容】
【０００６】
本発明の上記目的は、下記の手段によって達成される。なお括弧内は実施形態における対応要素を示すが、本発明はこれに限定されるものではない。
（１）画像表示が可能な表示手段と、
前記表示手段に種々の演出表示を実行制御可能な表示制御手段と、
少なくとも小当りを含む当り種別を対象に抽選を実行する抽選手段と、
前記抽選手段により前記小当りが抽選された場合、可変入賞手段を開閉制御する開閉動作遊技を含む小当り遊技を実行制御する小当り遊技制御手段と、
前記小当り遊技中に前記可変入賞手段内に設けられた特定領域を遊技球が通過した場合、前記可変入賞手段を開閉制御するラウンド遊技を含むＶ当り遊技を実行制御するＶ当り遊技制御手段と、
前記可変入賞手段に入賞した遊技球の数をカウント可能なカウント手段と、
を備える遊技機であって、
前記表示制御手段は、
前記小当り遊技中に小当り演出を実行可能な小当り演出制御手段と、
前記Ｖ当り遊技中にＶ当り演出を実行可能なＶ当り演出制御手段と、を備え、
前記小当り演出制御手段は、前記小当り演出において、当該小当り遊技中に前記カウント手段によってカウントされた入賞数を表示せず、
前記Ｖ当り演出制御手段は、前記Ｖ当り演出において、前記小当り遊技中に前記カウント手段によってカウントされた入賞数と、当該Ｖ当り遊技中に前記カウント手段によってカウントされた入賞数を合算して表示可能とした、
ことを特徴とする遊技機。
（２）前記Ｖ当り演出制御手段は、前記Ｖ当り演出において、前記小当り遊技中に前記カウント手段によってカウントされた入賞数と、当該Ｖ当り遊技中に前記カウント手段によってカウントされた入賞数を識別可能な表示態様で表示可能とした、
ことを特徴とする上記（１）に記載の遊技機。